(57)【要約】  予約録画の設定において記録先の可搬型記録媒体を識別子を用いて指定し、コンテンツの記録時に、指定されている識別子の可搬型記録媒体がドライブユニットに取り付けられていない場合、代替記録用記録媒体へコンテンツを記録する。代替記録用記録媒体へコンテンツが記録された後に、指定されている識別子の可搬型記録媒体がドライブユニットに取り付けられた場合、コンテンツを可搬型記録媒体へダビングする。【選択図】図８
2007517344.tif 000002
【特許請求の範囲】
【請求項１】
コンテンツを記録する記録装置であって、
可搬型記録媒体が着脱自在に取り付けられるドライブユニットと、
代替記録用記録媒体と、
コンテンツの記録先となる可搬型記録媒体を指定する指定情報を取得する取得手段と、
前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、
代替記録用記録媒体へコンテンツが記録された後に、前記指定情報により指定されている可搬型記録媒体がドライブユニットに取り付けられた場合、前記記録されたコンテンツを前記取り付けられた可搬型記録媒体へダビングするダビング制御手段と
を備えることを特徴とする記録装置。
【請求項２】
前記指定情報は、可搬型記録媒体を一意に識別する識別情報により、可搬型記録媒体を指定し、
前記記録制御手段は、ドライブユニットに取り付けられている可搬型記録媒体が、前記識別情報により識別される可搬型記録媒体である場合に、指定の可搬型記録媒体であると判定する
ことを特徴とする請求項１に記載の記録装置。
【請求項３】
前記可搬型記録媒体には、固有の識別情報が記録されており、
前記記録制御手段における判定は、ドライブユニットに取り付けられている可搬型記録媒体に記録された識別情報と、前記指定情報が示す識別情報との比較によりなされる
ことを特徴とする請求項２に記載の記録装置。
【請求項４】
前記指定情報は、１以上の可搬型記録媒体からなるグループを識別する識別情報により、可搬型記録媒体を指定し、
前記記録制御手段は、ドライブユニットに取り付けられている可搬型記録媒体が、前記識別情報により識別されるグループに含まれる可搬型記録媒体である場合に、指定の可搬型記録媒体であると判定する
ことを特徴とする請求項１に記載の記録装置。
【請求項５】
前記可搬型記録媒体には、所属するグループを識別する識別情報が記録されており、
前記記録制御手段における判定は、ドライブユニットに取り付けられている可搬型記録媒体に記録された識別情報と、前記指定情報が示す識別情報との比較によりなされる
ことを特徴とする請求項４に記載の記録装置。
【請求項６】
前記グループに含まれる可搬型記録媒体のリストを保持するリスト保持手段を更に備え、
前記記録制御手段における判定は、前記リストに基づいてなされる
ことを特徴とする請求項４に記載の記録装置。
【請求項７】
前記取得手段は、さらに、前記コンテンツが放送番組として放送される時刻を示す時刻情報を取得し、
前記記録制御手段によるコンテンツの記録は、前記時刻情報により示される時刻に実行される
ことを特徴とする請求項１に記載の記録装置。
【請求項８】
前記取得手段は、前記コンテンツの録画予約のためにユーザにより設定される情報に基づいて、前記指定情報、及び前記時刻情報を取得する
ことを特徴とする請求項７に記載の記録装置。
【請求項９】
前記指定情報は、１つの可搬型記録媒体を指定し、
当該可搬型記録媒体には、前記コンテンツの記録を指示する予約情報が記録されており、
前記予約情報は、前記時刻情報を含み、
前記取得手段は、前記予約情報が可搬型記録媒体から読み出された場合に、当該可搬型記録媒体を指定する前記指定情報と、前記予約情報に含まれる時刻情報とを取得する
ことを特徴とする請求項７に記載の記録装置。
【請求項１０】
前記時刻情報により示される時刻より後の時点で、前記予約情報が記録されている可搬型記録媒体、及び代替記録用記録媒体の何れにも前記コンテンツが記録されていない場合、前記可搬型記録媒体において前記コンテンツの記録のために確保されている領域を解放する領域解放手段を更に備える
ことを特徴とする請求項９に記載の記録装置。
【請求項１１】
前記予約情報が記録されている可搬型記録媒体から前記記録情報が削除された場合、当該可搬型記録媒体において前記コンテンツの記録のために確保されている領域を解放する領域解放手段を更に備える
ことを特徴とする請求項９に記載の記録装置。
【請求項１２】
前記コンテンツは、自装置と通信可能な外部機器から受信する通信データに含まれる画像データであり、
前記取得手段は、前記指定情報を前記通信データから取得し、
前記記録制御手段によるコンテンツの記録は、前記外部機器から前記通信データが受信された場合に実行される
ことを特徴とする請求項１に記載の記録装置。
【請求項１３】
指定できる可搬型記録媒体を示すリストを保持するリスト保持手段と、
前記リストに含まれる可搬型記録媒体を、前記外部機器へ通知する通知手段とを更に備える
ことを特徴とする請求項１２に記載の記録装置。
【請求項１４】
前記代替記録用記録媒体にコンテンツが記録された場合、ユーザに警告を提示する提示手段を更に備える
ことを特徴とする請求項１に記載の記録装置。
【請求項１５】
前記提示手段により提示される警告は、前記指定情報により指定されている可搬型記録媒体を、ドライブユニットに取り付けることを促すことによりなされる
ことを特徴とする請求項１４に記載の記録装置。
【請求項１６】
１以上の可搬型記録媒体を示すリストを保持するリスト保持手段を更に備え、
前記提示手段は、前記指定情報により指定されている可搬型記録媒体が前記リストに含まれている可搬型記録媒体であれば、当該可搬型記録媒体の取り付けを促す警告を提示し、前記指定情報により指定されている可搬型記録媒体が前記リストに含まれていなければ、新たな可搬型記録媒体の取り付けを促す警告を提示する
ことを特徴とする請求項１４に記載の記録装置。
【請求項１７】
可搬型記録媒体が着脱自在に取り付けられるドライブユニットと代替記録用記録媒体とを有する記録装置の集積回路であって、
コンテンツの記録先となる可搬型記録媒体を指定する指定情報を取得する取得手段と、
前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、
代替記録用記録媒体へコンテンツが記録された後に、前記指定情報により指定されている可搬型記録媒体がドライブユニットに取り付けられた場合、前記記録されたコンテンツを前記取り付けられた可搬型記録媒体へダビングするダビング制御手段と
を備えることを特徴とする集積回路。
【請求項１８】
可搬型記録媒体が着脱自在に取り付けられるドライブユニットと代替記録用記録媒体とを有するコンピュータにおいて実行されるコンピュータプログラムであって、
コンピュータに、コンテンツの記録先となる可搬型記録媒体を指定する指定情報を取得させるプログラムコードと、
前記指定情報により指定されている可搬型記録媒体がドライブユニットに取り付けられている場合、コンピュータに当該可搬型記録媒体へコンテンツを記録させ、前記指定情報により指定されている可搬型記録媒体がドライブユニットに取り付けられていない場合、コンピュータに代替記録用記録媒体へコンテンツを記録させるプログラムコードと、
代替記録用記録媒体へコンテンツが記録された後に前記指定情報により指定されている可搬型記録媒体がドライブユニットに取り付けられた場合、コンピュータに、前記記録されたコンテンツを前記取り付けられた可搬型記録媒体へダビングさせるプログラムコードと
を含むことを特徴とするコンピュータプログラム。
【請求項１９】
可搬型記録媒体が着脱自在に取り付けられるドライブユニットと代替記録用記録媒体とを有する記録装置におけるコンテンツの記録方法であって、
コンテンツの記録先となる可搬型記録媒体を指定する指定情報の取得と、
前記指定情報により指定されている可搬型記録媒体がドライブユニットに取り付けられている場合における、当該可搬型記録媒体へのコンテンツの記録と、
前記指定情報により指定されている可搬型記録媒体がドライブユニットに取り付けられていない場合における、代替記録用記録媒体へのコンテンツの記録と、
代替記録用記録媒体へコンテンツが記録された後に、前記指定情報により指定されている可搬型記録媒体がドライブユニットに取り付けられた場合における、当該取り付けられた可搬型記録媒体への前記記録されたコンテンツのダビングと
を含むことを特徴とする記録方法。
【請求項２０】
記録媒体であって、
コンテンツの記録を記録装置に指示する予約情報が記録されており、
前記予約情報は、
前記コンテンツが放送される放送番組を特定する番組情報と、
前記記録装置に前記コンテンツの記録先として当該記録媒体を指定する指定情報と、
前記コンテンツのみ記録が許可される予約領域を示す領域情報とを含む
ことを特徴とする記録媒体。
【発明の詳細な説明】
【技術分野】
【０００１】
本発明は、可搬型記録媒体のドライブユニットと、内蔵記憶ユニットとを有する記録装置に関する。
【背景技術】
【０００２】
録画装置には、様々な記録媒体を用いたものがあるが、近年、ＤＶＤレコーダ及びＨＤレコーダの両者の機能を合わせ持つ融合型レコーダが市場に投入されている。
融合型レコーダは、ＨＤ（ハードディスク）とＤＶＤの何れにもコンテンツを記録することができるが、主に、大容量なＨＤには、多数のコンテンツを手軽に一時保存する用途に用いられ、ディスクを着脱可能なＤＶＤは、ユーザが気に入ったコンテンツを長期保存する用途に用いられることが多い。
【０００３】
コンテンツをＨＤとＤＶＤとの何れに記録するかは、本来ユーザの指定により決定されるものであるが、ＤＶＤは着脱可能であるがゆえに、録画開始時にディスクが取り付けられていない場合もある。このような事態に対して、多くの融合型レコーダでは、ＤＶＤへの録画開始時にディスクが挿入されていなくても、ＤＶＤに替えてＨＤへ録画する代替録画機能が実装されている。
【０００４】
ところで、テレビ放送等で提供されるコンテンツの多様化に伴い、コンテンツの記録先を適切に管理する必要性が高まっている。そこで、複数のＤＶＤのディスク（以下、単に「ディスク」という。）を所有して、用途毎にディスクを使い分けるユーザが多く見られる。このようなユーザは、ＤＶＤへの予約録画を設定した場合に、融合型レコーダに予め所望のディスクを取り付けてコンテンツの記録先を管理している。
【特許文献１】特開２００２−３３５４８５号公報
【発明の開示】
【発明が解決しようとする課題】
【０００５】
しかし、ユーザが間違って所望するディスクと異なるディスクを取り付けたり、予約録画の設定後に他のユーザがディスクを取り替える場合もある。このような場合には、コンテンツが意図しないディスクに録画されることとなる。
この結果、録画開始時にディスクが取り付けられていなかった場合や、所望のディスクと異なるディスクが取り付けられていた場合、ユーザが所望するディスクにコンテンツを保存して管理するためには、ＨＤに代替録画されたコンテンツや、所望のディスクとは異なるコンテンツに録画されたコンテンツを、ユーザが手動でダビングを指示しなければならず、煩雑な操作をユーザに強いるという問題がある。
【０００６】
尚、ここではコンテンツを所望のディスクへ保存するために、代替録画されたコンテンツをＤＶＤへダビングするとしたが、所望のディスクへの保存は、記録済みコンテンツの複製を所望のディスクに記録した後、元のコンテンツを消去する、所謂、コンテンツの移動により実現してもよい。以下、所望のディスクへの保存のためのコンテンツのダビング、及び移動を、単にダビングという。
【０００７】
また、本発明に関連する技術として、複数のディスクを同時に取り付けられるＤＶＤレコーダにおいて、それぞれのディスクをディスクＩＤを用いて管理し、所望するディスクにコンテンツを録画する手法がある。この手法では、それぞれのディスクに割り振られたディスクＩＤを用いて予約録画を設定し、録画開始時にディスクＩＤが一致するディスクを選択してコンテンツを録画するものである。しかし、このような手法であっても、録画開始時に所望のディスクが取り付けられていなければ、コンテンツを所望のディスクに録画することは出来ず、従来の融合型レコーダと同様に、コンテンツを所望のディスクに記録して管理するためには煩雑な操作をユーザに強いるという問題がある。
【０００８】
本発明は、所望の可搬型記録媒体へのコンテンツの記録が容易な記録装置、記録装置の集積回路、記録方法、及び、コンピュータプログラムを提供することを第１の目的とする。また、コンテンツの記録が容易な記録媒体の提供を第２の目的とする。
【課題を解決するための手段】
【０００９】
上記目的を達成するために、本発明に係る記録装置は、可搬型記録媒体が着脱自在に取り付けられるドライブユニットと、代替記録用記録媒体と、コンテンツの記録先となる可搬型記録媒体を指定する指定情報を取得する取得手段と、前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、代替記録用記録媒体へコンテンツが記録された後に、前記指定情報により指定されている可搬型記録媒体がドライブユニットに取り付けられた場合、前記記録されたコンテンツを前記取り付けられた可搬型記録媒体へダビングするダビング制御手段とを備えることを特徴とする。
【００１０】
ここで代替記録用記録媒体とは、記録装置が内蔵するＨＤＤや、外付けＨＤＤ等の固定的にシステムに接続された記憶装置であり、可搬型記録媒体とは、ＤＶＤ−ＲＡＭ等の着脱可能な記録媒体である。
【発明の効果】
【００１１】
上記の構成によって、記録装置は、コンテンツの記録の際に、ユーザが所望した指定の可搬型記録媒体以外の他の可搬型記録媒体がドライブユニットに取り付けられていた場合や、ドライブユニットに何れの可搬型記録媒体も取り付けられていない場合に、コンテンツを代替記録用記録媒体へ代替記録する。記録装置は、その後、指定の可搬型記録媒体が取り付けれれた時に、代替記録していたコンテンツを、所望の可搬型記録媒体へダビングすることができる。
【００１２】
従って、コンテンツの記録の際に指定の可搬型記録媒体がドライブユニットに取り付けられているか否かに係らず、指定の可搬型記録媒体にコンテンツを記録することができる。そのため、ユーザは、コンテンツの記録の際に指定の可搬型記録媒体がドライブユニットに取り付けられていなかった場合に、コンテンツがどの記録媒体に記録されたかを確認する必要がなく、記録したコンテンツを容易に管理することができる。
【００１３】
また、前記指定情報は、可搬型記録媒体を一意に識別する識別情報により、可搬型記録媒体を指定し、前記記録制御手段は、ドライブユニットに取り付けられている可搬型記録媒体が、前記識別情報により識別される可搬型記録媒体である場合に、指定の可搬型記録媒体であると判定するとしてもよい。
これによって、コンテンツの記録前に、所望の可搬型記録媒体を１つ指定しておくことで、指定された１つの可搬型記録媒体にコンテンツが記録される。
【００１４】
従って、ユーザは、複数の可搬型記録媒体を所有している場合にも、コンテンツが記録されている可搬型記録媒体を容易に特定し管理することができる。
また、前記可搬型記録媒体には、固有の識別情報が記録されており、前記記録制御手段における判定は、ドライブユニットに取り付けられている可搬型記録媒体に記録された識別情報と、前記指定情報が示す識別情報との比較によりなされるとしてもよい。
【００１５】
これによって、指定された１つの可搬型記録媒体がドライブユニットに取り付けられているか否かを判定することができる。
また、前記指定情報は、１以上の可搬型記録媒体からなるグループを識別する識別情報により、可搬型記録媒体を指定し、前記記録制御手段は、ドライブユニットに取り付けられている可搬型記録媒体が、前記識別情報により識別されるグループに含まれる可搬型記録媒体である場合に、指定の可搬型記録媒体であると判定するとしてもよい。
【００１６】
ここで、可搬型記録媒体のグループは、例えば、スポーツ用やドラマ用といった記録するコンテンツのジャンル毎に分けるとしてもよいし、個人用や家族共用といった可搬型記録媒体の主な利用者毎に分けるとしてもよい。
これによって、指定のグループに所属する何れかの可搬型記録媒体にコンテンツが記録される。
【００１７】
従って、ユーザは、複数の可搬型記録媒体を所有している場合にも、可搬型記録媒体を用途毎にグループに分け、コンテンツの記録の際に何れかのグループを指定することで、コンテンツが記録されている可搬型記録媒体を、用途に応じて容易に特定し管理することができる。
また、前記可搬型記録媒体には、所属するグループを識別する識別情報が記録されており、前記記録制御手段における判定は、ドライブユニットに取り付けられている可搬型記録媒体に記録された識別情報と、前記指定情報が示す識別情報との比較によりなされるとしてもよい。
【００１８】
また、前記グループに含まれる可搬型記録媒体のリストを保持するリスト保持手段を更に備え、前記記録制御手段における判定は、前記リストに基づいてなされるとしてもよい。
これによって、指定されたグループに所属する可搬型記録媒体がドライブユニットに取り付けられているか否かを判定することができる。
【００１９】
また、前記取得手段は、さらに、前記コンテンツが放送番組として放送される時刻を示す時刻情報を取得し、前記記録制御手段によるコンテンツの記録は、前記時刻情報により示される時刻に実行されるとしてもよい。
これによって、時刻情報により示される時刻に、指定の可搬型記録媒体が取り付けられていなくとも、コンテンツは、代替記録用記録媒体に代替記録され、その後、指定の可搬型記録媒体が取り付けられた際に、指定の可搬型記録媒体へダビングされる。
【００２０】
従って、ユーザが指定の可搬型記録媒体の取り付けを忘れて外出した場合にも、放送時刻が決まっているコンテンツを録画する機会を逃すことがなく、さらに、帰宅後に、指定の可搬型記録媒体を取り付けることで、コンテンツがダビングされるので、記録したコンテンツを容易に管理することができる。
また、前記取得手段は、前記コンテンツの録画予約のためにユーザにより設定される情報に基づいて、前記指定情報、及び前記時刻情報を取得するとしてもよい。
【００２１】
これによって、ユーザは、コンテンツの録画を予約するときに、コンテンツを最終的に保存する可搬型記録媒体を指定することができる。
従って、予約録画の設定と、コンテンツが代替録画された場合のダビングの設定との操作を一度に済ますことができ、所望の可搬型記録媒体へのコンテンツの記録が容易になる。
【００２２】
また、前記指定情報は、１つの可搬型記録媒体を指定し、当該可搬型記録媒体には、前記コンテンツの記録を指示する予約情報が記録されており、前記予約情報は、前記時刻情報を含み、前記取得手段は、前記予約情報が可搬型記録媒体から読み出された場合に、当該可搬型記録媒体を指定する前記指定情報と、前記予約情報に含まれる時刻情報とを取得するとしてもよい。
【００２３】
これによって、あらかじめ予約情報が記録されている可搬型記録媒体をドライブユニットに取り付けることにより、コンテンツの録画の予約と記録先の指定とが完了する。
従って、ユーザが記録先の可搬型記録媒体を選んで予約録画を設定する必要がなく、コンテンツを容易に専用の可搬型記録媒体へ記録させることができる。
また、前記時刻情報により示される時刻より後の時点で、前記予約情報が記録されている可搬型記録媒体、及び代替記録用記録媒体の何れにも前記コンテンツが記録されていない場合、前記可搬型記録媒体において前記コンテンツの記録のために確保されている領域を解放する領域解放手段を更に備えるとしてもよい。
【００２４】
これによって、予約情報が記録されている可搬型記録媒体がドライブユニットに取り付けられた時点で、コンテンツの放送が既に始まっていた場合や、代替記録用記録媒体の容量不足によりコンテンツの代替録画に失敗した場合に、コンテンツの記録のために確保されている領域を解放し、可搬型記録媒体を他の用途に利用することができる。
従って、可搬型記録媒体の記録領域を有効に利用することができる。
【００２５】
また、前記予約情報が記録されている可搬型記録媒体から前記記録情報が削除された場合、当該可搬型記録媒体において前記コンテンツの記録のために確保されている領域を解放する領域解放手段を更に備えるとしてもよい。
これによって、ユーザがコンテンツの記録を望まない場合には、可搬型記録媒体から予約情報を削除することで、コンテンツの記録のために確保されている領域を解放し、可搬型記録媒体を他の用途に利用することができる。
【００２６】
従って、可搬型記録媒体の記録領域を有効に利用することができる。
また、前記コンテンツは、自装置と通信可能な外部機器から受信する通信データに含まれる画像データであり、前記取得手段は、前記指定情報を前記通信データから取得し、前記記録制御手段によるコンテンツの記録は、前記外部機器から前記通信データが受信された場合に実行されるとしてもよい。
【００２７】
ここで記録装置と通信可能な外部機器とは、例えば、カメラ付きの携帯電話機等の通信機能を有する携帯端末であり、記録装置は、記録容量の乏しい外部機器で撮影された画像データをバックアップする用途に用いられる。
これによって、通信データの受信時に、指定の可搬型記録媒体が取り付けられていなくとも、画像データは、代替記録用記録媒体に代替記録され、その後、指定の可搬型記録媒体が取り付けられた際に、指定の可搬型記録媒体へダビングされる。
【００２８】
従って、現在ドライブユニットに何れの可搬型記録媒体が取り付けられているかを意識することなく、外部機器を操作中のユーザは、任意の可搬型記録媒体を記録先に指定することができるので、画像データを容易に管理することができる。
また、指定できる可搬型記録媒体を示すリストを保持するリスト保持手段と、前記リストに含まれる可搬型記録媒体を、前記外部機器へ通知する通知手段とを更に備えるとしてもよい。
これによって、外部機器を操作中のユーザに、何れの可搬型記録媒体を指定可能であるかを通知することができる。
【００２９】
従って、外部機器を操作中のユーザは、外出先であっても、指定可能な可搬型記録媒体を把握し、撮影した画像データを所望の可搬型記録媒体に記録させることができる。
また、前記代替記録用記録媒体にコンテンツが記録された場合、ユーザに警告を提示する提示手段を更に備えるとしてもよい。
これによって、指定の可搬型記録媒体がドライブユニットに取り付けられる前に警告が提示されることで、ユーザは、コンテンツが代替記録用記録媒体へ代替記録され、未だ指定の可搬型記録媒体に記録されていないことを認識することができる。
【００３０】
従って、代替記録用記録媒体へ代替記録されたコンテンツが、指定の可搬型記録媒体へダビングされる前に、誤操作により削除されることを予防することができる。
また、前記提示手段により提示される警告は、前記指定情報により指定されている可搬型記録媒体を、ドライブユニットに取り付けることを促すことによりなされるとしてもよい。
【００３１】
また、１以上の可搬型記録媒体を示すリストを保持するリスト保持手段を更に備え、前記提示手段は、前記指定情報により指定されている可搬型記録媒体が前記リストに含まれている可搬型記録媒体であれば、当該可搬型記録媒体の取り付けを促す警告を提示し、前記指定情報により指定されている可搬型記録媒体が前記リストに含まれていなければ、新たな可搬型記録媒体の取り付けを促す警告を提示するとしてもよい。
【００３２】
これによって、ユーザは、何れの可搬型記録媒体をドライブユニットに取り付ける必要があるかを認識することができる。そのため、ユーザにより指定の可搬型記録媒体が早期に取り付けられる可能性が高くなる。
従って、上記の構成は、指定の可搬型記録媒体へのダビングを早期に完了させうる効果があり、代替記録用記録媒体に代替記録されたコンテンツを保持しておく期間の長期化を防ぐことができる。よって、代替記録用記録媒体の記録領域の効率的な利用を図ることができる。
【００３３】
上記目的を達成するために、本発明に係る記録装置の集積回路は、可搬型記録媒体が着脱自在に取り付けられるドライブユニットと代替記録用記録媒体とを有する記録装置の集積回路であって、コンテンツの記録先となる可搬型記録媒体を指定する指定情報を取得する取得手段と、前記コンテンツの記録の際に、前記指定情報により指定されている可搬型記録媒体がドライブユニットに取り付けられている場合、当該可搬型記録媒体へコンテンツを記録し、前記指定情報により指定されている可搬型記録媒体がドライブユニットに取り付けられていない場合、代替記録用記録媒体へコンテンツを記録する記録制御手段と、代替記録用記録媒体へコンテンツが記録された後に、前記指定情報により指定されている可搬型記録媒体がドライブユニットに取り付けられた場合、前記記録されたコンテンツを前記取り付けられた可搬型記録媒体へダビングするダビング制御手段とを備えることを特徴とする。
【００３４】
これによって、記録装置は、コンテンツの記録の際に、ユーザが所望した指定の可搬型記録媒体以外の他の可搬型記録媒体がドライブユニットに取り付けられていた場合や、ドライブユニットに何れの可搬型記録媒体も取り付けられていない場合に、コンテンツを代替記録用記録媒体へ代替記録する。記録装置は、その後、指定の可搬型記録媒体が取り付けれれた時に、代替記録していたコンテンツを、所望の可搬型記録媒体へダビングすることができる。
【００３５】
従って、指定の可搬型記録媒体には、コンテンツの記録の際にドライブユニットに取り付けられているか否かに係らず、コンテンツが記録される。そのため、ユーザは、コンテンツの記録の際に指定の可搬型記録媒体がドライブユニットに取り付けられていなかった場合に、コンテンツがどの記録媒体に記録されたかを確認する必要がなく、記録したコンテンツを容易に管理することができる。
【００３６】
上記目的を達成するために、本発明に係るコンピュータプログラムは、可搬型記録媒体が着脱自在に取り付けられるドライブユニットと代替記録用記録媒体とを有するコンピュータにおいて実行されるコンピュータプログラムであって、コンピュータに、コンテンツの記録先となる可搬型記録媒体を指定する指定情報を取得させるプログラムコードと、前記指定情報により指定されている可搬型記録媒体がドライブユニットに取り付けられている場合、コンピュータに当該可搬型記録媒体へコンテンツを記録させ、前記指定情報により指定されている可搬型記録媒体がドライブユニットに取り付けられていない場合、コンピュータに代替記録用記録媒体へコンテンツを記録させるプログラムコードと、代替記録用記録媒体へコンテンツが記録された後に前記指定情報により指定されている可搬型記録媒体がドライブユニットに取り付けられた場合、コンピュータに、前記記録されたコンテンツを前記取り付けられた可搬型記録媒体へダビングさせるプログラムコードとを含むことを特徴とする。
【００３７】
これによって、コンピュータは、コンテンツの記録の際に、ユーザが所望した指定の可搬型記録媒体以外の他の可搬型記録媒体がドライブユニットに取り付けられていた場合や、ドライブユニットに何れの可搬型記録媒体も取り付けられていない場合に、コンテンツを代替記録用記録媒体へ代替記録する。コンピュータは、その後、指定の可搬型記録媒体が取り付けれれた時に、代替記録していたコンテンツを、所望の可搬型記録媒体へダビングすることができる。
【００３８】
従って、指定の可搬型記録媒体には、コンテンツの記録の際にドライブユニットに取り付けられているか否かに係らず、コンテンツが記録される。そのため、ユーザは、コンテンツの記録の際に指定の可搬型記録媒体がドライブユニットに取り付けられていなかった場合に、コンテンツがどの記録媒体に記録されたかを確認する必要がなく、記録したコンテンツを容易に管理することができる。
【００３９】
上記目的を達成するために、本発明に係る記録方法は、可搬型記録媒体が着脱自在に取り付けられるドライブユニットと代替記録用記録媒体とを有する記録装置におけるコンテンツの記録方法であって、コンテンツの記録先となる可搬型記録媒体を指定する指定情報の取得と、前記指定情報により指定されている可搬型記録媒体がドライブユニットに取り付けられている場合における、当該可搬型記録媒体へのコンテンツの記録と、前記指定情報により指定されている可搬型記録媒体がドライブユニットに取り付けられていない場合における、代替記録用記録媒体へのコンテンツの記録と、代替記録用記録媒体へコンテンツが記録された後に、前記指定情報により指定されている可搬型記録媒体がドライブユニットに取り付けられた場合における、当該取り付けられた可搬型記録媒体への前記記録されたコンテンツのダビングとを含むことを特徴とする。
【００４０】
これによって、記録装置は、コンテンツの記録の際に、ユーザが所望した指定の可搬型記録媒体以外の他の可搬型記録媒体がドライブユニットに取り付けられていた場合や、ドライブユニットに何れの可搬型記録媒体も取り付けられていない場合に、コンテンツを代替記録用記録媒体へ代替記録する。記録装置は、その後、指定の可搬型記録媒体が取り付けれれた時に、代替記録していたコンテンツを、所望の可搬型記録媒体へダビングすることができる。
【００４１】
従って、指定の可搬型記録媒体には、コンテンツの記録の際にドライブユニットに取り付けられているか否かに係らず、コンテンツが記録される。そのため、ユーザは、コンテンツの記録の際に指定の可搬型記録媒体がドライブユニットに取り付けられていなかった場合に、コンテンツがどの記録媒体に記録されたかを確認する必要がなく、記録したコンテンツを容易に管理することができる。
【００４２】
上記目的を達成するために、本発明に係る記録媒体は、コンテンツの記録を記録装置に指示する予約情報が記録されており、前記予約情報は、前記コンテンツが放送される放送番組を特定する番組情報と、前記記録装置に前記コンテンツの記録先として当該記録媒体を指定する指定情報と、前記コンテンツのみ記録が許可される予約領域を示す領域情報とを含むことを特徴とする。
【００４３】
ここで、放送番組の特定には、放送チャンネル、放送開始時刻、及び、放送終了時刻を用いてもよいし、電子番組ガイド（以下、ＥＰＧという。）で放送番組を一意に識別する情報や、Ｇコード（登録商標）等を用いてもよい。
上記の予約情報があらかじめ記録されている記録媒体を、記録装置に取り付けることにより、コンテンツの録画を予約するとともに記録先を指定することができる。
【００４４】
従って、ユーザが予約録画を設定する必要がなく、記録媒体へコンテンツを容易に記録させることができる。また、予約情報があらかじめ記録されている記録媒体を、コンテンツの記録先とするため、ユーザがコンテンツの記録先を指定する必要がなく、コンテンツの管理が容易になる。
【発明を実施するための最良の形態】
【００４５】
以下本発明の実施の形態について、図面を参照しながら説明する。
（第１実施形態）
本実施形態に係る記録装置は、代替記録用記録媒体としてＨＤを内蔵し、可搬型記録媒体としてＤＶＤ−ＲＡＭを用いる融合型レコーダである。
図１は、第１実施形態に係る融合型レコーダの利用形態を示す図である。
【００４６】
融合型レコーダ１００は、アンテナ１０１を介して受信したアナログ放送信号形式のコンテンツをＭＰＥＧ２形式に変換し、ＨＤ又はスロットに挿入されたＤＶＤ−ＲＡＭに記録する装置である。また融合型レコーダ１００は、ＨＤに記録しているコンテンツをＤＶＤ−ＲＡＭへダビングすることができる。
モニタ１０２は、融合型レコーダ１００が出力する動画データを表示する装置である。
【００４７】
ＤＶＤ−ＲＡＭ１０３は、ユーザが所有する複数の可搬型記録媒体であり、各ディスクの記録領域にはそれぞれのディスクを一意に識別するメディア管理番号が記録されている。これらのうち何れか１枚のディスクが選択的に融合型レコーダ１００のスロットに取り付けられる。
次に、融合型レコーダ１００のハードウェア構成について説明する。融合型レコーダ１００は、図２に示すように、チューナ１、エンコーダ２、デコーダ３、ＯＳＤ生成部４、オーバレイ部５、ＨＤＤ６、ＤＶＤドライブ７、ユーザ操作受付部８、マイコンシステム９、通信部１０、バス１１とを備える。エンコーダ２、デコーダ３、ＯＳＤ生成部４、ＨＤＤ６、ＤＶＤドライブ７、マイコンシステム９、及び通信部１０は、バス１１を介して相互接続される。
【００４８】
チューナ１は、アンテナ１０１で受信した放送波の復調及び選局を行って、アナログ放送信号形式のコンテンツを取得する。
エンコーダ２は、アナログ放送信号形式のコンテンツをＡ／Ｄ変換し、さらに、ＭＰＥＧ２形式に従って圧縮符号化し、ＭＰＥＧ２形式のコンテンツを生成する。
デコーダ３は、ＭＰＥＧ２形式のコンテンツを伸長して、さらに、Ｄ／Ａ変換を施してアナログ映像信号形式のコンテンツに変換する。
【００４９】
ＯＳＤ生成部４は、融合型レコーダ１００の設定やコンテンツに関する情報を示すＯＳＤの画像データを生成する。
オーバレイ部５は、アナログ映像信号形式のコンテンツに、ＯＳＤ画像データを重畳してモニタ１０２へ出力する。
ＨＤＤ６は、内蔵する大容量のＨＤに対して、ＭＰＥＧ２形式のコンテンツの書き込み、読み出しを行う。ここでＨＤへコンテンツを書き込む際には、コンテンツを一意に識別する識別子（以下、コンテンツＩＤと言う）、コンテンツが記録される領域のアドレス、データ量、コンテンツのタイトル等からなるコンテンツ情報も共に書き込む。
【００５０】
ＤＶＤドライブ７は、取り付けられたディスクに対するデータの書き込み、読み出しを行う。
ユーザ操作受付部８は、融合型レコーダ１００の前面に設けられた操作パネルを介して入力されるユーザ操作を受け付ける。
マイコンシステム９は、ＣＰＵ、ＲＯＭ、ＲＡＭ、ＥＥＰＲＯＭからなるコンピュータシステムである。ＲＯＭに格納されたコンピュータプログラムがＣＰＵに読み込まれ、コンピュータプログラムとハードウェア資源とが協動することにより、融合型レコーダ１００はその機能を達成する。
【００５１】
通信部１０は、インターネット等のネットワークを介して外部機器との通信を実現する。以上が、融合型レコーダ１００のハードウェア構成である。
続いてコンピュータプログラムとハードウェア資源とが協働することにより実現されるマイコンシステム９の機能についてついて説明する。図３は、マイコンシステム９の機能構成を示すブロック図である。マイコンシステム９は図に示すように、予約設定部２１、予約情報保持部２２、制御部２３、時計部２４、指定情報取得部２５、メディア管理番号取得部２６、ダビング情報保持部２７、記録部２８、表示部２９、媒体検知部３０、メディア管理番号設定部３１、及び、メディア管理リスト保持部３２の各機能ブロックからなる。
【００５２】
予約設定部２１は、予約設定処理を制御する。予約設定処理の制御とは、ＯＳＤ生成部４、オーバレイ部５によるＯＳＤ表示を制御してユーザ操作受付部８からユーザの操作を対話的に受け付けることにより、録画したいコンテンツについて、放送日、放送開始時刻、放送終了時刻、チャンネル、タイトル、録画画質、及び、コンテンツの録画先の指定を取得し、これらを予約情報として、図４に示すフォーマットで予約情報保持部２２に記録することである。
【００５３】
従来の融合型レコーダにおける予約設定処理では、コンテンツの録画先の指定としてＨＤ、及びＤＶＤ−ＲＡＭの区別のみを受け付ける。これに対して、本発明における予約設定処理では、ＤＶＤ−ＲＡＭを録画先とする場合に、ユーザが所有するＤＶＤ−ＲＡＭ１０３のうち何れのディスクへ記録するか、ディスクの指定を受け付けることに特徴がある。この時、ディスクの指定には、ディスクを一意に識別する「メディア管理番号」、若しくは、図５に示すメディア管理リストにおいてメディア管理番号と対応付けて記録されている「ディスクの名称」の何れかを用いる。例えば図４に示す予約情報では、メディア管理番号を用いて“０００１”のディスクを録画先として指定している。以下、本明細書では、本発明の特徴部分である、録画先にＤＶＤ−ＲＡＭが指定された予約録画を制御する構成に主眼をおいて実施形態を説明する。
【００５４】
制御部２３は、コンテンツの録画を制御する機能ブロックであって、内部に予約録画制御部２３ａとダビング制御部２３ｂとを含む。
予約録画制御部２３ａは、予約情報に基づいて、コンテンツの放送を録画する予約録画処理を制御する。予約録画処理の制御は、時計部２４から現在時刻の通知をうけ、予約情報に設定された放送日、放送開始時刻が到来した場合に、設定されたチャンネルをチューナ１に選局させてアナログ放送信号形式のコンテンツを受信させ、これを録画画質で指定された割当ビットレートでエンコーダ２にエンコードさせ、エンコードされたコンテンツを、ＨＤＤ６またはＤＶＤドライブ７に書き込ませ、その後、放送終了時刻が到来した場合に、チューナ１、エンコーダ２、及び、ＨＤＤ６またはＤＶＤドライブ７に処理を終了させることでなされる。
【００５５】
ここで、予約録画制御部２３ａによる予約録画処理の特徴は、予約情報においてＤＶＤ−ＲＡＭへコンテンツを録画するよう指示されている場合の制御にある。従来の融合型レコーダにおける予約録画処理では、放送開始時刻が到来した時点でスロットにディスクが取り付けられていない場合に、代替録画としてＨＤＤ６にコンテンツを書き込ませるが、本発明における予約録画処理では、放送開始時刻が到来した時点でスロットにディスクが取り付けられていない場合に加えて、放送開始時刻が到来した時点で、予約情報において録画先に指定されているディスクと異なるディスクがスロットに取り付けられている場合にも、代替録画としてＨＤＤ６にコンテンツを書き込ませる。さらに、本発明における予約録画処理では、ＨＤＤ６にコンテンツを代替録画させた場合、ＨＤへ代替録画されたコンテンツのコンテンツＩＤと、予約情報において録画先に指定されていたディスクのメディア管理番号、若しくはディスクの名称とを用いて、図６にフォーマットを示すダビング情報を生成し、ダビング情報保持部２７へ記録する。
【００５６】
ダビング制御部２３ｂは、ＨＤへ代替録画されたコンテンツをＤＶＤ−ＲＡＭへダビングするダビング処理を、ダビング情報に基づいて制御する。ダビング処理の制御は、スロットにディスクが取り付けられたことを、媒体検知部３０から通知された場合に実行される。このとき、取り付けられたディスクが、ダビング情報に設定されているディスクと同一であれば、ダビング情報に設定されているコンテンツＩＤにより識別されるコンテンツをＨＤＤ６に読み出させ、読み出されたコンテンツをＤＶＤドライブ７により書き込ませる。
【００５７】
指定情報取得部２５は、予約情報においてコンテンツの録画先に指定されているディスクのメディア管理番号を特定し、特定したメディア管理番号を制御部２３へ通知する機能ブロックである。
メディア管理番号の特定は、具体的には、予約情報において録画先の指定にメディア管理番号が用いられている場合、予約情報からメディア管理番号をそのまま取得することによりなされる。一方、予約情報において録画先の指定にディスクの名称が用いられている場合、メディア管理番号の特定は、メディア管理リスト保持部３２が保持するメディア管理リストを用いて、ディスクの名称に対応するメディア管理番号を取得することによりなされる。
【００５８】
以下、指定情報取得部２５により制御部２３へ通知されるメディア管理番号を、「指定情報」という。
メディア管理番号取得部２６は、スロットに取り付けられているディスクからメディア管理番号を読み出して、読み出したメディア管理番号を制御部２３へ通知する機能ブロックである。
【００５９】
記録部２８は、ＨＤＤ６、ＤＶＤドライブ７によるコンテンツの書き込みを制御し、さらに、記録したコンテンツに対応付けてコンテンツ情報をＨＤＤ６またはＤＶＤドライブ７に記録させる。
表示部２９は、コンテンツが代替録画されていることを警告する警告処理を制御する機能ブロックである。警告処理の制御は、ＯＳＤ生成部４、及びオーバレイ部５によるＯＳＤ表示を制御して、ユーザにディスクの取り付けを要求する警告画像をモニタ１０２へ表示させることによりなされる。
【００６０】
媒体検知部３０は、スロットにディスクが取り付けられているか否かを検知し、制御部２３へ通知する機能ブロックである。
メディア管理番号設定部３１は、メディア管理番号が記録されていない新たなディスクがスロットに取り付けられた場合に、このディスクへ新たなメディア管理番号を記録する。このときメディア管理番号設定部３１はさらに、メディア管理リスト保持部３２に保持されているメディア管理リストへ新たなディスクの情報を登録する。
【００６１】
予約情報保持部２２、ダビング情報保持部２７、及びメディア管理リスト保持部３２は、具体的にはコンピュータプログラムの実行によりＥＥＰＲＯＭに確保される領域である。これらの領域に記録される各情報は、ＥＥＰＲＯＭが不揮発性であるため融合型レコーダ１００の電源が切られた場合も失われることがない。予約情報保持部２２は図４に示すフォーマットの予約情報を保持し、ダビング情報保持部２７は図６に示すフォーマットのダビング情報を保持する。
【００６２】
メディア管理リスト保持部３２は図５に示すフォーマットのメディア管理リストを保持する。メディア管理リストには、ＤＶＤ−ＲＡＭ１０３の各ディスク毎にメディア管理番号とディスクの名称とが対応付けて登録されている。以上がマイコンシステム９の機能構成の説明である。
続いて、上述の機能構成を実現するコンピュータプログラムについて説明する。制御部２３を実現するコンピュータプログラムは、図７乃至図９の各フローチャートに示す処理手順でコンピュータを動作させるプログラムコードを、コンピュータ記述言語で記述することにより作成される。先ず図７を参照しながら制御部２３の処理手順について説明する。
【００６３】
制御部２３は、ステップＳ１、及びＳ２からなるループによりイベントの発生を待つ。時計部２４から通知される時刻が予約情報に設定されている開始時刻となった場合（Ｓ１:Ｙｅｓ）、制御部２３は、予約録画制御部２３ａにより予約録画処理を実行し（Ｓ３）、ステップＳ１、Ｓ２のイベント待ちループに戻る。
スロットにディスクが取り付けられたことが媒体検知部３０から通知された場合（Ｓ２:Ｙｅｓ）、制御部２３は、ダビング制御部２３ｂによりダビング制御を実行し（Ｓ４）ステップＳ１、Ｓ２のイベント待ちループに戻る。以上が制御部２３の処理手順である。
【００６４】
次に図８を参照しながら予約録画制御部２３ａによる予約録画処理の詳細について説明する。開始時刻が到来すると、予約録画制御部２３ａは、先ず予約情報において録画先に設定されているディスクのメディア管理番号を指定情報取得部２５により取得させる（Ｓ１１）。予約録画制御部２３ａはさらに、スロットに取り付けられているディスクに記録されているメディア管理番号をメディア管理番号取得部２６に取得させ（Ｓ１２）、Ｓ１１、Ｓ１２で取得された２つのメディア管理番号を比較する（Ｓ１３）。
【００６５】
ここで、Ｓ１１、Ｓ１２で取得された２つのメディア管理番号が一致する場合（Ｓ１３:Ｙｅｓ）、予約録画制御部２３ａは、終了時刻が到来するまで、予約情報で示されるコンテンツをＤＶＤドライブ７によりディスクへ記録させる（Ｓ１４）。一方、Ｓ１１、Ｓ１２で取得された２つのメディア管理番号が一致しない場合（Ｓ１３:Ｎｏ）、予約録画制御部２３ａは、終了時刻が到来するまで、予約情報で示されるコンテンツをＨＤＤ６によりＨＤへ代替記録させ（Ｓ１５）、さらに、Ｓ１５においてＨＤに記録させたコンテンツを一意に識別するコンテンツＩＤとＳ１１で取得したメディア管理番号とからなるダビング情報を、ダビング情報保持部２７に記録する（Ｓ１６）。以上が、予約録画制御部２３ａによる予約録画処理の処理手順である。
【００６６】
以上の手順により、例えば、Ｓ１１で図４に示す予約情報からメディア管理番号として“０００１”が取得された場合に、スロットにメディア管理番号“０００１”が記録されたディスクが取り付けられていれば、コンテンツはスロットに取り付けられているディスクへ記録される。しかし、スロットに“０００１”以外のメディア管理番号が記録されたディスクが取り付けられていたり、何れのディスクも取り付けられていなければ、コンテンツはＨＤへ代替記録され、さらに、メディア管理番号“０００１”が設定されたダビング情報がダビング情報保持部２７に記録される。
【００６７】
次に図９を参照しながらダビング制御部２３ｂによるダビング処理の詳細について説明する。スロットにディスクが取り付けられたことが媒体検知部３０から通知されると、ダビング制御部２３ｂは、ダビング情報保持部２７にダビング情報が記録されているか否かを判定する（Ｓ２１）。
ダビング情報保持部２７にダビング情報が記録されている場合（Ｓ２１:Ｙｅｓ）、ダビング制御部２３ｂはダビング情報保持部２７からダビング情報を読み出し、ダビング情報に設定されているメディア管理番号を取得する（Ｓ２２）。ダビング制御部２３ｂはさらに、スロットに取り付けられたディスクに記録されているメディア管理番号をメディア管理番号取得部２６に取得させ（Ｓ２３）、Ｓ２２、Ｓ２３で取得された２つのメディア管理番号を比較する（Ｓ２４）。
【００６８】
ここで、Ｓ２２、Ｓ２３で取得された２つのメディア管理番号が一致する場合（Ｓ２４:Ｙｅｓ）、ダビング制御部２３ｂは、ダビング情報のコンテンツＩＤにより示されるコンテンツをＨＤＤ６によりＨＤから読み出させ、読み出されたコンテンツをＤＶＤドライブ７によりスロットに取り付けられているディスクへ記録させる（Ｓ２５）。コンテンツのダビングが完了すると、Ｓ２２において読み出したダビング情報をダビング情報保持部２７から削除する（Ｓ２６）。以上が、ダビング制御部２３ｂによるダビング処理の処理手順である。
【００６９】
以上の手順により、例えば、メディア管理番号として“０００１”が設定されたダビング情報がダビング情報保持部２７に記録されている状態で、“０００１”以外のメディア管理番号が記録されたディスクがスロットに取り付けられたとしても、ＨＤに記録されたコンテンツはダビングされない。しかし、メディア管理番号として“０００１”が記録されたディスクがスロットに取り付けられた場合は、このダビング情報にコンテンツＩＤが設定されているコンテンツがダビングされる。これにより、ＨＤに代替記録されていたコンテンツが、予約録画の設定においてユーザが所望したディスクへ記録されることとなる。
【００７０】
続いて、表示部２９による警告処理について説明する。表示部２９の機能を実現するコンピュータプログラムは、図１０のフローチャートに示す処理手順でコンピュータを動作させるプログラムコードを、コンピュータ記述言語で記述することにより作成される。
図１０に示す警告処理の処理手順は、融合型レコーダ１００の電源が投入されたとき、若しくは、予約録画制御部２３ａによりダビング情報保持部２７へ新たなダビング情報が記録された場合に実行される。先ず表示部２９は、ダビング情報保持部２７にダビング情報が記録されているか否かを判定し（Ｓ３１）、ダビング情報保持部２７にダビング情報が保持されていなければ（Ｓ３１:Ｎｏ）そのまま処理を終了する。
【００７１】
ダビング情報保持部２７にダビング情報が保持されている場合（Ｓ３１:Ｙｅｓ）、表示部２９は、ダビング情報保持部２７からダビング情報を取得（Ｓ３２）するとともに、メディア管理リスト保持部３２に保持されているメディア管理リストを取得し（Ｓ３３）、ダビング情報中のメディア管理番号がメディア管理リストに登録されているか否かを判定する（Ｓ３４）。
【００７２】
ダビング情報中のメディア管理番号が、メディア管理リストに登録されている場合（Ｓ３４:Ｙｅｓ）、表示部２９は、ＯＳＤ生成部４、及びオーバレイ部５によるＯＳＤ表示を制御して、当該メディア管理番号が記録されているディスクの取付けを促す画像をモニタ１０２へ表示させ（Ｓ３５）、処理を終了する。例えば、ダビング情報にメディア管理番号として“０００１”が設定されている場合、図５に示すメディア管理リストにメディア管理番号が“０００１”のディスクが登録されているので、図１１Ａに示す警告画像をＯＳＤ表示させる。
【００７３】
Ｓ３４の判定で、ダビング情報中のメディア管理番号が、メディア管理リストに登録されていない場合（Ｓ３４:Ｎｏ）、表示部２９は、ＯＳＤ生成部４、及びオーバレイ部５によるＯＳＤ表示を制御して、これまで融合型レコーダ１００に取り付けられたことがなくメディア管理番号が記録されていない新たなディスクの取付けを促す画像をモニタ１０２へ表示させる（Ｓ３６）。例えば、ダビング情報にメディア管理番号として“０００３”が設定されている場合、図５に示すメディア管理リストにメディア管理番号が“０００３”のディスクが登録されていないので、図１１Ｂに示す警告画像をＯＳＤ表示させる。
【００７４】
Ｓ３６において新たなディスクの取付けを促す画像を表示させた後、新たなディスクが取り付けられると、メディア管理番号設定部３１に新規ディスク登録処理（Ｓ３７）を実行させて処理を終了する。以上が、表示部２９による警告処理の処理手順である。
このような処理でモニタ１０２に警告画像が表示されるため、ユーザは取り付けが必要な記録媒体を容易に確認することができる。
【００７５】
次に、メディア管理番号設定部３１による新規ディスク登録処理について説明する。メディア管理番号設定部３１の機能を実現するコンピュータプログラムは、図１２のフローチャートに示す処理手順でコンピュータを動作させるプログラムコードを、コンピュータ記述言語で記述することにより作成される。
新規ディスク登録処理は、新たなディスクにメディア管理番号を設定する処理であり、図１２に示す処理手順は、メディア管理番号が記録されていないディスクが融合型レコーダ１００のＤＶＤ取り付けスロットに取り付けられた場合に実行される。メディア管理番号設定部３１は先ず、ＯＳＤ生成部４、及びオーバレイ部５によるＯＳＤ表示を制御して、図１３Ａに示すディスクの名称とディスクに記録するメディア管理番号の候補との入力をユーザに要求する画像をモニタ１０２に表示させる（Ｓ４１）。
【００７６】
図１３Ａの画像を介したユーザの入力をユーザ操作受付部８から受け付けると、メディア管理番号設定部３１は、入力されたメディア管理番号の候補が、メディア管理リスト保持部３２に保持されているメディア管理リストに既に登録されているか否かを判定する（Ｓ４２）。
入力されたメディア管理番号の候補が既に登録されている場合（Ｓ４２:Ｙｅｓ）、メディア管理番号設定部３１は、図１３Ｂに示す他の候補の入力を要求する画像をモニタ１０２へＯＳＤ表示させ（Ｓ４３）、ユーザによりメディア管理リストに登録されていない候補が入力されるまでＳ４２、及びＳ４３の処理を繰り返す。
【００７７】
メディア管理リストに登録されていないメディア管理番号の候補が入力されると（Ｓ４２:Ｎｏ）、メディア管理番号設定部３１は、入力された候補をメディア管理番号としてディスクに記録すると共に、入力されたメディア管理番号の候補とディスクの名称を対応付けてメディア管理リストに追加する（Ｓ４３）。以上が、メディア管理番号設定部３１による新規ディスク登録処理の処理手順である。
【００７８】
尚、メディア管理番号の入力を要求する画像には、メディア管理リストにおいて欠番している番号を予め候補として表示しておいてもよい。
以上のように本実施形態によれば、録画開始時に予約録画の設定において指定されたディスクが取り付けられていなかったり、他のディスクが取り付けられていたとしても、ユーザの手を煩わせることなくＨＤへの代替録画、及びＨＤから指定のディスクへのダビングが実行され、最終的にコンテンツは指定のディスクへ保存される。
【００７９】
尚、本実施形態では、ユーザの入力に応じて予約情報を設定するとしたが、予約情報は他の方法により設定するとしてもよい。
例えば、録画するコンテンツを特定する情報は予めディスクに記録された状態で提供されるとしてもよい。このような変形例では、ディスクがスロットに取り付けられた場合に、予約設定部２１が、録画するコンテンツを特定する情報をディスクから読み出し、当該ディスクを記録先に指定する予約情報を、予約情報保持部２２へ設定するとしてもよい。
【００８０】
以下に、録画するコンテンツを特定する情報が予めディスクに記録された状態で提供されることにより、ユーザの操作をより簡便にした変形例の詳細について説明する。
図１４は、録画するコンテンツを特定する情報が予め記録されて提供されるディスク（以下、「プリセット媒体」という。）のデータ構造を模式的に示す図である。プリセット媒体は、コンテンツを放送する放送事業者等によって提供されるＤＶＤのディスクであり、管理情報と、録画するコンテンツを特定する１つ以上のプリセット情報が記録されている。また、プリセット媒体の記録領域には、プリセット情報に対応して、コンテンツを記録するために予約領域が確保されている。
【００８１】
管理情報には、ディスクの製造番号ｄ１１と、予約領域アドレスｄ１２、ｄ１３が含まれる。予約領域アドレスｄ１２、ｄ１３は、予約領域のアドレスを示し、ここで示される記録領域は、融合型レコーダ１００においてコンテンツを記録する専用領域として認識されるため、たとえコンテンツの記録前であっても、空領域としてユーザに提示されることがない。
【００８２】
プリセット情報には、予約番号ｄ２１と、録画するコンテンツを特定する情報として予約録画日ｄ２２、開始時刻ｄ２３、終了時刻ｄ２４、番組チャンネルｄ２５、及び予約タイトルｄ２６と、録画画質を指定する録画モードｄ２７と、録画先を指定する情報として当該プリセット媒体の製造番号ｄ２８とが含まれる。
次に、本変形例における予約設定部２１による予約設定処理について説明する。本変形例の予約設定部２１の機能を実現するコンピュータプログラムは、図１５のフローチャートに示す処理手順でコンピュータを動作させるプログラムコードを、コンピュータ記述言語で記述することにより作成される。
【００８３】
図１５に示す予約設定処理の処理手順は、融合型レコーダ１００にディスクが取り付けられた場合に実行される。スロットにディスクが取り付けられたことが媒体検知部３０において検知されると、予約設定部２１は、取り付けられたディスクがメディア管理リストに登録されているか否かを判定し（Ｓ５１）、登録されていなければ（Ｓ５１：Ｎｏ）、メディア管理番号設定部３１に新規ディスク登録処理を実行させる（Ｓ５２）。
【００８４】
次に、予約設定部２１は、取り付けられたディスクにプリセット情報が記録されているか否かを判定する（Ｓ５３）。プリセット情報が記録記録されていなければ（Ｓ５３:Ｎｏ）、ダビング制御部２３ｂによるダビング処理に制御が移る（Ｓ５６）。プリセット情報が記録されている場合（Ｓ５３:Ｙｅｓ）、予約設定部２１は、プリセット情報の開始時刻ｄ２３により示される時刻と現在の時刻とを比較して、現時点がプリセット情報により特定されるコンテンツの放送前であるか否かを判定する（Ｓ５４）。
【００８５】
放送前であれば（Ｓ５４:Ｙｅｓ）、プリセット情報により特定されるコンテンツの録画を指示する予約情報が予約情報保持部２２に記録されているか否かを判定し（Ｓ５５）、予約情報保持部２２に記録されていれば（Ｓ５５:Ｙｅｓ）、ダビング制御部２３ｂによるダビング処理に制御が移る（Ｓ５６）。予約情報保持部２２に予約情報が記録されていなければ（Ｓ５５:Ｎｏ）、予約設定部２１は、プリセット情報のｄ２８の情報をプリセット媒体のメディア管理番号に変更することでプリセット媒体を録画先に指定した予約情報を生成し、予約情報保持部２２に記録する（Ｓ５７）。その後、ダビング制御部２３ｂによるダビング処理が実行され（Ｓ５６）処理が終了する。Ｓ５４の判定で、プリセット情報により特定されるコンテンツの放送が既に始まっていると判定された場合（Ｓ５４:Ｎｏ）、予約設定部２１は、プリセット情報により特定されるコンテンツをプリセット媒体へダビングするよう指示するダビング情報が、ダビング情報保持部２７に記録されているかいなかを判定する（Ｓ５８）。
【００８６】
プリセット媒体へのダビングを指示するダビング情報が記録されている場合（Ｓ５８:Ｙｅｓ）、続いてダビング制御部２３ｂによるダビング処理が実行され（Ｓ５６）処理が終了する。
一方、プリセット媒体へのダビングを指示するダビング情報が記録されていない場合（Ｓ５８:Ｎｏ）、予約設定部２１は、放送が既に始まっているコンテンツを特定するプリセット情報をプリセット媒体から削除すると共に、対応する予約領域アドレスを管理情報から削除することにより、予約領域を解放する（Ｓ５９）。その後、ダビング制御部２３ｂによるダビング処理が実行され（Ｓ５６）処理が終了する。以上が本変形例における予約設定処理である。
【００８７】
尚、本変形例に係るプリセット媒体は、プリセット情報を削除することに通常のＤＶＤ−ＲＡＭのディスクとして使用することも可能である。図１６は、融合型レコーダ１００において、スロットに取り付けられたプリセット媒体からプリセット情報を削除する場合の処理手順を示すフローチャートである。例えば、ユーザ操作により図１４に示すプリセット媒体から、プリセット情報１の削除が指示された場合（Ｓ６１）、  プリセット媒体からプリセット情報１が削除されると共に、対応する予約領域アドレスｄ１２が、管理情報から削除される（Ｓ６２）。
【００８８】
予約領域アドレスｄ１２により示される予約領域１は、予約領域アドレスｄ１２の削除前は、図１７の上段に示すようにユーザに空領域として提示されないが、予約領域アドレスｄ１２の削除後は、図１７の下段に示すようにユーザに空領域として提示される。
以上のように本変形例によれば、録画するコンテンツと録画先のディスクとをユーザが入力する操作が必要なくなり、より簡便にコンテンツを指定のディスクへ記録することができる。
【００８９】
また、本変形例に係るプリセット媒体は、放送事業者がプロモーションとして配布する場合に大きな効果が期待される。例えば、新作の放送番組を放送する際にコンテンツの放送日時を設定したプリセット媒体を事前に配布することで、視聴者に訴求することができるうえに、視聴者が予約録画を設定し忘れて視聴の機会を逃すことを避けることができる。よって、放送番組が視聴される機会を高めることができる。さらに、配布時にディスクのラベル面にコンテンツの出演者や番組タイトルを印刷しておくことで、録画後もプリセット媒体にコンテンツが記録されていることが一目で認識でき、コンテンツの管理が非常に容易になる。
【００９０】
（第２実施形態）
第２実施形態では、第１実施形態で説明した融合型レコーダとカメラ付き携帯端末とを、インターネット等のネットワークを介して接続し、携帯端末において撮影した画像データを融合型レコーダへ送信して、融合型レコーダにおいて所望のディスクへ記録する手法に関する。
【００９１】
先ず、図１８を参照しながら第２実施形態に係る融合型レコーダ２００の利用形態について説明する。
融合型レコーダ２００は、第１実施形態において説明した融合型レコーダ１００と同様のハードウェア構成を有し、ユーザの自宅に設置される。外部機器２０１は、カメラ付きの携帯電話機、ＰＤＡ等の携帯端末であり、ユーザにより携帯される。融合型レコーダ２００と外部機器２０１とは、インターネットを介して接続されており、互いにデータを送受信することができる。
【００９２】
外部機器２０１が内蔵するメモリは記録容量が小さく、多くの画像データを保存することができない。そこで、ユーザが外出先で外部機器２０１で画像データを撮影した場合、画像データを融合型レコーダ２００に送信して記録させることで、多くの画像データを保存することができる。
この時ユーザは、図１８に示すように、外部機器２０１を用いて融合型レコーダ２００から図５に示すメディア管理リストを取得し、そのリストから、メディア管理番号、若しくはディスクの名称を選択することにより、画像データを記録するディスクを指定することができる。
【００９３】
図１９は、外部機器２０１から融合型レコーダ２００へ送信される通信データの一例を示す図である。画像データの記録を指示する通信データには、記録先に指定するディスクのメディア管理番号、若しくはディスクの名称が画像データに付加される。図１９に示す例では、メディア管理番号を用いて“０００１”のディスクを記録先として指定している。
【００９４】
次に、融合型レコーダ２００の構成について説明する。融合型レコーダ２００は、融合型レコーダ１００と同様のハードウェア構成であるが、マイコンシステム９において融合型レコーダ１００とは異なるコンピュータプログラムが実行される。
図２０を参照しながらコンピュータプログラムとハードウェア資源とが協働することにより実現されるマイコンシステム９の機能について説明する。
【００９５】
図２０に示すマイコンシステム９の構成は、第１実施形態において図３を用いて説明した構成に要求受信部３３、及びリスト送信部３４を追加し、制御部２３の内部に画像記録制御部２３ｃを追加した構成である。以下、第１実施形態で説明した構成には同一の符号を付し説明を省略し、第１実施形態と異なる構成について説明する。
要求受信部３３、及びリスト送信部３４は、外部機器２０１へのリスト提供処理を制御する機能ブロックである。要求受信部３３は、外部機器２０１からメディア管理リストの送信要求を受け付け、リスト送信部３４は、外部機器２０１へメディア管理リストを送信する。
【００９６】
制御部２３内の画像記録制御部２３ｃは、外部機器２０１から受信した通信データにおいて記録先に指定されているディスクへ、通信データに含まれる画像データを記録する画像記録処理を制御する。画像記録制御部２３ｃによる画像記録処理の制御の特徴は、予約録画制御部２３ａによる予約録画処理と同様に、メディア管理番号が指定されているディスクがスロットに取り付けられていない場合、画像データをＨＤへ代替記録し、さらに、ＨＤへ代替録画された画像データのコンテンツＩＤと、通信データにおいて指定されていたディスクのメディア管理番号もしくはディスクの名称とからなるダビング情報を、ダビング情報保持部２７へ記録することである。以上が、融合型レコーダ２００の構成である。
【００９７】
次に、リスト提供処理の処理手順について説明する。図２１は、リスト提供処理の処理手順を示すフローチャートである。
要求受信部３３は、外部機器２０１からメディア管理リストの取得要求を受け付けると、リスト送信部３４へ要求送信元のアドレスを通知する（Ｓ７１）。通知を受けたリスト送信部３４は、メディア管理リスト保持部３２からメディア管理リストを取得し（Ｓ７２）、取得したメディア管理リストを、Ｓ７１において通知されたアドレスへ送信する（Ｓ７３）。以上がリスト提供処理の処理手順である。
【００９８】
以上のようにして、メディア管理リストを外部機器２０１へ送信することにより、ユーザが遠隔地で外部機器２０１を使用する場合であっても、所望のディスクを容易に指定することができる。
続いて、画像記録処理の処理手順について説明する。図２２は、画像記録処理の処理手順を示すフローチャートである。図に示す画像記録処理の処理手順は、融合型レコーダ２００が外部機器２０１から画像データの記録を指示する通信データを受信した場合に実行される。
【００９９】
画像記録制御部２３ｃによる画像記録処理は、図８に示す予約録画制御部２３ａによる予約録画処理と同様の処理手順であるが、Ｓ８１において指定情報取得部２５へ指定情報の取得を指示する際に、予約情報に替えて、受信した通信データを用いて指定情報となるメディア管理番号を取得させる点が相違する。
以上のように本実施形態によれば、画像データの記録を指示する通信データを外部機器２０１から受信した時に、通信データにおいて記録先に指定されているディスクがスロットに取り付けられていなかったり、他のディスクが取り付けられていたとしても、ユーザの手を煩わせることなくＨＤへの代替記録、及びＨＤから指定のディスクへの複製が実行され、最終的に画像データは指定のディスクへ保存される。
【０１００】
尚、融合型レコーダ２００と外部機器２０１との通信は、融合型レコーダ２００と外部機器２０１との間にコネクションを確立して直接通信するとしてもよいし、画像データ、及び、記録先を指定する情報を電子メールに添付することで、メールサーバ等を介して間接的に通信するとしてもよい。
（その他の変形例）
本発明を上記の実施形態に基づいて説明してきたが、本発明は、上記の実施の形態に限定されないのはもちろんである。以下のような場合も本発明に含まれる。
【０１０１】
（１）本発明は、各実施形態で説明したフローチャートの処理手順が開示するコンテンツの記録方法であるとしてもよい。また、前記処理手順でコンピュータを動作させるプログラムコードを含むコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。
【０１０２】
また、本発明は、前記コンピュータプログラム又は前記デジタル信号を、電気通信回線、無線又は有線通信回線、インターネットを代表とするネットワーク等を経由して伝送するものとしてもよい。
また、前記コンピュータプログラム又は前記デジタル信号を前記記録媒体に記録して移送することにより、又は前記コンピュータプログラム又は前記デジタル信号を前記ネットワーク等を経由して移送することにより、独立した他のコンピュータシステムにより実施するとしてもよい。
【０１０３】
（２）本発明は、記録装置を制御するＬＳＩとしても実施可能である。このようなＬＳＩは、エンコーダ２、デコーダ３、及びＯＳＤ生成部４と、図３若しくは図２０に示すマイコンシステム９の各機能ブロックとを、図２の破線で示すように集積化することで実現できる。これらの部材及び機能ブロックは、個別に１チップ化されても良いし、一部または全てを含むように１チップ化されてもよい。
【０１０４】
ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路または、汎用プロセッサで実現してもよい。ＬＳＩ製造後にプログラムすることが可能なＦＰＧＡ（Field  Programmable  Gate  Array）や、ＬＳＩ内部の回路セルの接続や設定を再構成可能なリコンフィギュラブル・プロセッサを利用してもよい。
【０１０５】
さらには、半導体技術の進歩または派生する別技術によりＬＳＩに置き換わる集積回路化の技術が登場すれば、当然、その技術を用いて機能ブロック及び部材の集積化を行ってもよい。このような技術には、バイオ技術の適応等が可能性としてありえる。
（３）本発明は、代替記録媒体を備える装置と可搬型記録媒体のドライブユニットを備える装置とからなる記録システムとしても実施可能である。
【０１０６】
例えば、このような記録システムは、図２３に示すようにＨＤＤレコーダ３０１とＤＶＤレコーダ３０２とからなるＤＶＤ−ＨＤＤレコーダシステム３００であるとしてもよい。ＤＶＤ−ＨＤＤレコーダシステム３００では、ＨＤＤレコーダ３０１及びＤＶＤレコーダ３０２の何れか、若しくは両方のマイコンシステムにおいてコンピュータプログラムを実行し、図３若しくは図２０に示す各機能ブロックを実現することにより本発明に係る記録装置の機能を達成できる。上記の各機能ブロックをＨＤＤレコーダ３０１が備えるマイコンシステムにおいて実現する場合には、ディスクが取り付けられたことをＤＶＤレコーダ３０２からＨＤＤレコーダ３０１へ通知することで、ダビング処理を実行する契機とすることができる。
【０１０７】
（４）上記の各実施形態では、可搬型記録媒体としてＤＶＤ−ＲＡＭを用いて本発明を説明したが、本発明に係る記録装置の特徴は、これらの記録媒体の物理的特性に依存するものではなく、本発明に係る記録装置は、コンテンツを記録しうる可搬型記録媒体ならどのような記録媒体にも適用することが出来る。例えば、Ｂｌｕ−ｒａｙ  Ｄｉｓｋ、ＤＶＤ−ＲＷ、ＤＶＤ＋ＲＷ、ＤＶＤ−Ｒ、ＤＶＤ＋Ｒ、ＣＤ−Ｒ、ＣＤ−ＲＷ等の光ディスク、ＰＤ、ＭＯ等の光磁気デスク、ＳＤメモリカード、コンパクトフラッシュ（Ｒ）、スマートメディア、メモリスティック、マルチメディアカード、ＰＣＭＣＩＡカード等の半導体メモリカード、ORB、Jaz、SparQ、SyJet、EZFley、マイクロドライブ等のリムーバルハードディスクドライブ、磁気記録ディスクを用いることができる。
【０１０８】
（５）上記の各実施形態においては、代替記録用記録媒体と可搬型記録媒体とで、コンテンツを記録するエンコード方式が同じ記録媒体の組み合わせを用いたが、本発明の記録装置は、コンテンツを記録するエンコード方式が異なる記録媒体の組み合わせにも適用することが出来る。
例えば、ＨＤとＳＤメモリカードとの組み合わせであってもよいし、光ディスク、光磁気デスク、半導体メモリカード、磁気記録ディスク、リムーバルハードディスクドライブ、及び機器内蔵型のＨＤ等の記録媒体の任意の組み合わせであってもよい。例えば、記録媒体にＨＤとＳＤメモリカードを用いる場合には、本発明に係る録画装置は、Ｍｐｅｇ２方式に対応したエンコーダ及びデコーダに加えて、ＳＤ−Ｖｉｄｅｏ方式に対応したエンコーダ及びデコーダを備えることにより、ＨＤとＳＤメモリカードとの間でコンテンツをダビングすることができる。
【０１０９】
（６）本発明に係る記録装置は、代替記録用記録媒体と少なくとも１つの可搬型記録媒体のドライブユニットを備えていれば機能を達成可能であるが、可搬型記録媒体のドライブユニットを２以上備えるとしてもよい。
さらに、記録装置が可搬型記録媒体のドライブユニットを２以上備える場合には、何れか１つのドライブユニットに取り付けられている可搬型記録媒体を代替記録用記録媒体として用いるとしてもよい。この場合、記録装置は、コンテンツの代替記録時に、代替記録によりコンテンツを書き込んだ可搬型記録媒体を一意に識別する情報をダビング情報に追加する。これにより、記録装置はダビング情報に基づいて、コンテンツを代替記録した可搬型記録媒体と、指定情報により指定される可搬型記録媒体とについて、ドライブユニットに装着されているか否かを判定することができ、前記両方の可搬型記録媒体がスロットに取り付けられた場合にコンテンツをダビングすることで、指定情報により指定される可搬型記録媒体へ最終的にコンテンツを記録することができる。
【０１１０】
（７）上記の各実施形態では、ユーザが所有する可搬型記録媒体を記録装置のドライブユニットに初めて取り付けた際に、可搬型記録媒体にメディア管理番号を記録して各可搬型記録媒体を識別するとしたが、可搬型記録媒体の識別には他の情報を用いてもよい。例えば、可搬型記録媒体を一意に識別する製造番号が、製造時に各可搬型記録媒体に設定されている場合には、当該製造番号を記録装置において読み出して可搬型記録媒体の識別に用いてもよい。
【０１１１】
また、可搬型媒体を識別するメディア管理番号は、ユーザの入力によらず、メディア管理リストにおいて欠番している番号を機械的に設定するとしてもよい。
（８）上記の各実施形態では、指定情報として可搬型記録媒体を一意に識別するメディア管理番号を用いるとしたが、指定情報としては１以上の可搬型記録媒体からなるグループを識別する情報を用いてもよい。
【０１１２】
例えば、同一のグループに分類する可搬型記録媒体に同一のメディア管理番号を記録することで、指定情報としてメディア管理番号を指定すると、同一のメディア管理番号が記録された可搬型記録媒体の何れかにコンテンツを記録することができる。
また、他の例として、新規ディスク登録処理において、同一のグループに分類する可搬型記録媒体に同一の名称を付けて登録することで、グループの名称をメディア管理リストに登録するとすることができる。このようにメディア管理リストにグループの名称を登録したうえで、指定情報としてグループの名称を指定すると、メディア管理リストに同一のグループ名で登録されている可搬型記録媒体の何れかにコンテンツを記録することができる。
【０１１３】
これらの例は、コンテンツを特定の１つの可搬型記録媒体に記録する必要はないが、コンテンツの記録先をある程度把握しておきたい場合などに有用である。具体的には、記録装置を複数のユーザで共用している場合に、可搬型記録媒体を所有者毎にグループ分けしておけば、予約録画を設定したユーザが録画されたコンテンツの行方を知る為に、他のユーザの可搬型記録媒体の記録内容を確認する手間を省くことができる。
【０１１４】
（９）上記の各実施形態では、コンテンツの記録先の指定にメディア管理番号、ディスクの名称等の可搬型記録媒体を識別する情報を用いたが、本発明に係る指定情報は、記録先を特定する情報であれば、他の情報を用いていもよい。
例えば、可搬型記録媒体の記録領域がファイルシステムによりディレクトリ構造で管理されている場合には、各ディレクトリにそれぞれを一意に識別するＩＤを付し、前記ディレクトリＩＤを用いてコンテンツの記録先を指定するとしてもよい。
【０１１５】
（１０）上記の各実施形態では、予約情報、ダビング情報、及びメディア管理リストはＥＥＰＲＯＭに記録するとしたが、これらの各情報は他の記録領域に記録するとしてもよい。尚、これらを記録する記録領域は、不揮発性の記録領域であるか、バッテリーバックアップされた記録領域であることが望ましい。
例えば、ダビング情報は、代替録画されたコンテンツと共にハードディスクに記録するとしてもよい。
【０１１６】
（１１）上記の各実施形態では、記録装置において記録するコンテンツとして放送番組、及び、画像データを用いて説明したが、本発明に係る記録装置において記録するコンテンツは、動画、制止画像、音声、コンピュータプログラム等であってもよい。また、動画、制止画像、音声、コンピュータプログラム等を組み合せてなるコンテンツであってもよい。
【０１１７】
（１２）上記第１実施形態では、予約録画の設定としてユーザがコンテンツを特定する情報を入力するとしたが、ユーザが入力する内容は、コンテンツの放送日、開始時刻、終了時刻、チャンネルを直接入力するとしてもよいし、ＥＰＧを画面表示させてコンテンツを指定するとしてもよい。あるいは、Ｇコード（登録商標）等を用いてもよい。
また、ユーザにより入力されたキーワードに関連するコンテンツをＥＰＧを用いて記録装置が検索し、検出したコンテンツを録画する場合にも本発明は適用できる。このような場合には、特に、キーワードと同一の名称でメディア管理リストに登録されたディスクを録画先として指定することにより、コンテンツの管理が容易になるという効果が得られる。
【０１１８】
（１３）上記第１実施形態では、コンテンツが代替録画されたことをユーザに警告するために、記録先に指定されていた可搬型記録媒体の取付けを要求する画像を表示するとしたが、コンテンツが代替録画されたことの通知は、ユーザに注意を喚起する方法であれば他の手法を用いてもよい。例えば、代替録画されたことを音声によって警告してもよい。
また、コンテンツが代替録画されていることをユーザに通知するタイミングは、第１実施形態において説明した記録装置の電源投入時、及び、ダビング情報が記録された時に限定せず、他の事象を契機として通知するとしてもよい。例えば、スロットに取り付けたディスクが交換されるたびに、コンテンツが代替録画されていることを通知するとしてもよい。
【０１１９】
（１４）上記第１実施形態、第２実施形態、及び上記変形例をそれぞれ組み合わせるとしてもよい。
【産業上の利用可能性】
【０１２０】
本発明にかかる記録装置は、ＤＶＤドライブとＨＤＤとを備えた融合型レコーダ等に有用である。
【図面の簡単な説明】
【０１２１】
【図１】第１実施形態に係る融合型レコーダの利用形態を示す図
【図２】第１実施形態に係る融合型レコーダのハードウェア構成を示す図
【図３】第１実施形態に係る融合型レコーダを制御するコンピュータプログラムの機能構成を示す図
【図４】予約情報の一例を示す図
【図５】メディア管理リストの一例を示す図
【図６】ダビング情報のデータ構造を示す図
【図７】融合型レコーダ１００を制御するコンピュータプログラムの処理手順を示すフローチャート
【図８】予約録画処理の処理手順を示すフローチャート
【図９】ダビング処理の処理手順を示すフローチャート
【図１０】コンテンツが代替録画されていることを警告する処理の処理手順を示すフローチャート
【図１１】（Ａ）は登録済みディスクの挿入を促す警告の表示例、（Ｂ）は未登録ディスクの挿入を促す警告の表示例
【図１２】新規ディスク登録処理の処理手順を示すフローチャート
【図１３】（Ａ）は新規ディスク登録に際してメディア管理番号の入力を要求する表示の一例、（Ｂ）はメディア管理番号の再入力を要求する表示の一例
【図１４】録画するコンテンツを特定するプリセット情報を記録した状態で記録媒体を提供する変形例に係る記録媒体のデータ構造を示す図
【図１５】第１実施形態の変形例において、記録媒体が挿入された場合の処理手順を示すフローチャート
【図１６】第１実施形態の変形例において、記録媒体からプリセット情報を削除する処理手順を示すフローチャート
【図１７】記録媒体からプリセット情報を削除する場合の記録領域の遷移を模式的に示す図
【図１８】第２実施形態に係る融合型レコーダの利用形態を示す図
【図１９】第２実施形態に係る通信データの一例を示す図
【図２０】第２実施形態に係る融合型レコーダを制御するコンピュータプログラムの機能構成を示す図
【図２１】外部機器へメディア管理リストを提供する処理の処理手順を示すフローチャート
【図２２】画像記録処理の処理手順を示すフローチャート
【図２３】本発明に係る記録装置をＨＤＤレコーダとＤＶＤレコーダとにより構成する変形例を示す図
【符号の説明】
【０１２２】
１    チューナ
２    エンコーダ
３    デコーダ
４    ＯＳＤ生成部
５    オーバレイ部
６    ＨＤＤ
７    ＤＶＤドライブ
８    ユーザ操作受付部
９    マイコンシステム
１０    通信部
１１    バス
２１    予約設定部
２２    予約情報保持部
２３    制御部
２３ａ  予約録画制御部
２３ｂ  ダビング制御部
２３ｃ  画像記録制御部
２４    時計部
２５    指定情報取得部
２６    メディア管理番号取得部
２７    ダビング情報保持部
２８    記録部
２９    表示部
３０    媒体検知部
３１    メディア管理番号設定部
３２    メディア管理リスト保持部
３３    要求受信部
３４    リスト送信部
１００    融合型レコーダ
１０１    アンテナ
１０２    モニタ
１０３    ＤＶＤ−ＲＡＭ
２００    融合型レコーダ
２０１    外部機器
３００    ＤＶＤ−ＨＤＤレコーダシステム
３０１    ＨＤＤレコーダ
３０２    ＤＶＤレコーダ
【図１】
2007517344.tif 000003
【図２】
2007517344.tif 000004
【図３】
2007517344.tif 000005
【図４】
2007517344.tif 000006
【図５】
2007517344.tif 000007
【図６】
2007517344.tif 000008
【図７】
2007517344.tif 000009
【図８】
2007517344.tif 000010
【図９】
2007517344.tif 000011
【図１０】
2007517344.tif 000012
【図１１】
2007517344.tif 000013
【図１２】
2007517344.tif 000014
【図１３】
2007517344.tif 000015
【図１４】
2007517344.tif 000016
【図１５】
2007517344.tif 000017
【図１６】
2007517344.tif 000018
【図１７】
2007517344.tif 000019
【図１８】
2007517344.tif 000020
【図１９】
2007517344.tif 000021
【図２０】
2007517344.tif 000022
【図２１】
2007517344.tif 000023
【図２２】
2007517344.tif 000024
【図２３】
2007517344.tif 000025
【国際調査報告】
2007517344.tif 000026
2007517344.tif 000027